(57)【特許請求の範囲】
【請求項１】
古書画の鑑定者の端末と、古書画の作品所有者の端末と、古書画を研究する学識者で構成する基準値算定委員会の端末にネットワークを介して接続される古書画査定システムであって、古書画の鑑定者の端末から査定しようとする作品の作家名と作品の写真と、さらに査定要素の作品の真贋度Ｃと作品の傑作度Ｄと作品の大きさＥと作品の保存度Ｆに関する数値データを入力する手段と、あらかじめ古書画査定システムに格納されている査定要素の作家別人気度Ａと時価基準値Ｂを自動で乗算処理（Ａ×Ｂ×Ｃ×Ｄ×Ｅ×Ｆ）し評価額Ｇを算定する手段と、入力した作品データに登録番号を付与し保存管理する手段と、作品写真と査定要素（Ａ、Ｃ、Ｄ、Ｅ、Ｆ）と評価額Ｇと、あらかじめ古書画査定システムに格納されている作家情報を含む鑑定書を印刷する手段と、古書画を研究する学識者で構成する基準値算定委員会が定期的に作家別人気度Ａと時価基準値Ｂと作家情報を見直し、そのデータを修正入力する手段を備えたことを特徴とする古書画査定システム。
【請求項２】
請求項目１記載の古書画査定システムにおいて、作品所有者の端末からその作品の鑑定書に記載された登録番号（ＩＤ）を入力すると、その作品の鑑定書の内容を閲覧・確認できる手段と、最新の作家別人気度Ａと最新の時価基準値Ｂを読み出し、再計算された最新の評価額Ｇを閲覧できる手段を備えたことを特徴とする古書画査定システム。
【発明の詳細な説明】
【技術分野】
【０００１】
本発明は、古書画の査定において、鑑定者が客観的に査定し鑑定書を発行する機能と、登録作品の所有者が古書画査定システムにアクセスし最新評価額とその査定根拠、および鑑定書の内容を確認できる機能を備えた古書画査定システムに関するものである。
【背景技術】
【０００２】
通常、古書画の売買は、まず作品が本物か偽物かの真贋鑑定、次に売手・買手による価格交渉という作業で実施されている。しかしそれぞれの作業に問題があるため、偽物が本物とし流通したり、本物でも不当に高く売買されたりする。そのため公立美術館が買取る前後に中傷する噂で話題になったりする。
【０００３】
その主な問題点として三点ある。一点目は、鑑定者は弟子、親族、研究家があたるが、時代が経過すると情報も少なくあいまいになる。二点目は作品の本物・偽者の判断は長年の経験と勘によるところが大きく、鑑定結果に対し意義がでても、感覚的な意見のため論議される場がない。三点目は、本物と思われた物には収納箱に裏書、または鑑定書に鑑定者の名を記載し押印するが、裏書の付いた収納箱と作品が別々になっていることもあり確定できない。また従来の鑑定書は、真贋判定に至った根拠が明記されてなく不透明であると同時に鑑定書自体が贋物でないかという疑惑も残る。
【発明の開示】
【発明が解決しようとする課題】
【０００４】
上述したように古書画の真贋鑑定と価格査定が不透明で、さらにインターネットのオークションでは有名作家の作品が出品されても、現物が見れないため、贋物の場合のリスクを考慮して極めて安い価格で売買され、古書画の相場が暴落している。その結果、作品の所有者は価値が分からないため粗末に扱い、古くなれば処分する。そのため、文化遺産の古書画が滅失の危機にさらされている。
【０００５】
本発明は、以上のような問題点に鑑み創案されたもので、良い作品には、なぜ良いのかという情報を付けて、納得できる価格で流通させ、その情報と作品を後世にまで大切に継承できる手段を提供することにある。
【課題を解決するための手段】
【０００６】
古書画の鑑定者の端末と古書画の作品所有者の端末と、古書画を研究する学識者で構成する基準値算定委員会の端末にネットワークを介して接続される古書画査定システムで、発明の手段は次のとおりである。
【０００７】
古書画の鑑定者の端末から査定しようとする作品の作家名と作品の写真と、さらに査定要素の作品の真贋度Ｃと作品の傑作度Ｄと作品の大きさＥと作品の保存度Ｆに関する数値データを古書画査定システムに入力する手段と、あらかじめ古書画査定システムに格納されている査定要素の作家別人気度Ａと時価基準値Ｂを自動で乗算処理（Ａ×Ｂ×Ｃ×Ｄ×Ｅ×Ｆ）し評価額Ｇを算定する手段を備えたことを特徴とする古書画査定システムである。
【０００８】
上述の入力した作品データに登録番号を付与し保存管理する手段と、作品写真と査定要素（Ａ、Ｃ、Ｄ、Ｅ、Ｆ）と評価額Ｇと、あらかじめ古書画査定システムに格納されている作家情報を含む鑑定書を印刷する手段を備えたことを特徴とする古書画査定システムである
【０００９】
古書画を研究する学識者で構成する基準値算定委員会が定期的に作家別人気度Ａと時価基準値Ｂと作家情報を見直し、そのデータを修正入力する手段と、作品所有者の端末からその作品の鑑定書に記載された登録番号（ＩＤ）を入力すると、その作品の鑑定書の内容を閲覧・確認でき、さらに最新の作家別人気度Ａと時価基準値Ｂを読み出し、再計算された最新の評価額Ｇを閲覧できる手段を備えたことを特徴とする古書画査定システムである
【発明の効果】
【００１０】
鑑定に使用された作品写真等の資料をサーバに蓄積しデータベース化することで、学識者の研究が進み、作家の全容が明らかにされれば人気度が高くなり評価額が上がることになる。また鑑定書を作品に添付することにより、所有者が代わっても、価値が分かり大切に保存されるため、貴重な文化遺産を後世に伝えていくことができる。
【００１１】
また販売を希望する所有者は、鑑定書があるので妥当な価格で販売でき、買手も作品の登録番号で査定システムにログインし鑑定書の確認ができるため安心して購入することができる。
【発明を実施するための最良の形態】
【００１２】
図１は本実施形態のイメージ図である。この図において符号１０はサーバでありインターネット網に接続されている。符号１０１、１０２、１０３は各種の端末であり、サーバ１０と同様にインターネット網に接続される。ここで端末１０１、１０２、１０３は、それぞれＬＣＤ等の表示部とともに、キーボード、マウス等の入力部を有する。
作品の鑑定者、過去に鑑定した作品の所有者、古書画の研究者等の学識者で構成される基準値算定委員会が各端末からサーバにアクセスしデータの入出力や修正を実施し古書画査定システムを運用する。
【００１３】
図２はサーバ１０の構成を示すブロック図である。この図において、符号１１は制御手段であり、ＣＰＵ等から構成され、各部の制御や、データの転送、種々の演算、データの一時的な格納等を行なう。符号１２は入力制御手段であり、インターネット網を介して接続された端末から入力されるデータを制御する。符号１３は出力制御手段であり、端末に出力されるデータを制御する。符号１４〜１８はいずれも記憶手段で、記憶手段１４には、メインプログラムが記憶されている。このメインプログラムは、制御手段１１において用いられるものであり、例えば、端末の表示部に案内画面を表示させるプログラムや、必要な情報を得るための検索用プログラム等から構成される。他に、この記憶手段１４には、端末１０１、１０２、１０３から送信されてきた入力情報が一時的に格納される。次に、記憶手段１５には作家情報ファイルが、記憶手段１６には作家別人気度（Ａ）ファイルが、記憶手段１７には時価基準値（Ｂ）ファイル、記憶手段１８には登録作品情報ファイルが記憶されている。
【００１４】
次に、動作については、端末１０１、１０２、１０３は、それぞれサーバ１０と接続されて通信を行なう。例えば、サーバ１０に端末１０１が接続されると、制御手段１１は、入力制御手段１２を介して検知し、メインプログラムにしたがって端末１０１を制御する。
【００１５】
図３〜５は、作業概念図であるが、まずは入力する項目について解説する。
【００１６】
作家名は、鑑定しようとする作品の作家名を一覧表から選択するか、ない場合は入力する。
【００１７】
作品写真は、デジタルカメラで撮影した作品の全景写真とサインと落款の部分写真をサーバにアップロードすると登録作品情報ファイルに格納される。
【００１８】
真贋度Ｃ（％）は作品の真贋の可能性を百分率で表現したものである。１００％本物、１００％偽物の判定は、書いた本人でしか判断できないことを前提に、他人が鑑定する場合、その真為の可能性を０〜１００％の数値で客観的に判定することにする。真贋鑑定は４つの要素で構成され、要素毎に比率を分配し、合計１００％となる。要素の１つ目は古書画査定システムの作家情報に登録されている印譜集と作品の印を比較する印影鑑定、２つ目はサインの筆跡鑑定、３つ目は描画技法鑑定、４つ目は時代に合った画材鑑定である。この真贋鑑定要素の百分率の累積が真贋度Ｃ（％）となる。鑑定者がクライアント端末に表示されるマニュアルに添って査定システムに入力する。
【００１９】
傑作度Ｄ（％）とは、作品の傑作度合いを百分率で表したもので、鑑定者がクライアント端末に表示されるマニュアルに添って古書画査定システムに入力する。
【００２０】
作品の大きさＥ（％）とは、作品の大きさを、百分率で表したもので、鑑定者がクライアント端末に表示されるマニュアルに添って古書画査定システムに入力する。
【００２１】
保存度Ｆ（％）とは、作品の保存状況を、百分率で表したもので、鑑定者がクライアント端末に表示されるマニュアルに添って古書画査定システムに入力する。
【００２２】
作家別人気度Ａ（％）とは、ジャンル別の頂点にいる作家Ａの人気度を１００％とした場合に、該当作家の人気度を格付けした百分率である。これは基準値査定委員会が審議し古書画査定システムに入力する。
【００２３】
時価基準値Ｂ（円）とは、ジャンル別の頂点にいる作家の標準作品の評価額Ｇ（円）から算定される。学識者で構成する基準値算定委員会が定期的に、頂点にいる作家の標準作品の評価額Ｇ（円）を審議し見直し古書画査定システムに入力すると、
評価額Ｇ＝人気度Ａ×時価基準値Ｂ×真贋度Ｃ×傑作度Ｄ×大きさＥ×保存度Ｆの関係から、時価基準値Ｂ＝Ｇ／（Ａ×Ｃ×Ｄ×Ｅ×Ｆ）で査定システムが自動計算し、記憶される。
【００２４】
図３は古書画の鑑定者の入力と古書画査定システムの処理・出力作業の概念図である。サーバからの入力要求画面に沿って作品の作家名、作品写真を入力、さらに査定要素の作品の真贋度Ｃ・傑作度Ｄ・大きさＥ・保存度Ｆに関する数値を入力、又は項目を選択すると、古書画査定システムに格納された作家別人気度Ａと時価基準値Ｂを自動で乗算処理（Ａ×Ｂ×Ｃ×Ｄ×Ｅ×Ｆ）し、評価額Ｇを算定できる。さらに、登録された作品には登録番号が自動で付与され、評価額と査定根拠、及び古書画査定システムに格納された作家情報を含む鑑定書を出力できる。同時に登録作品の総てのデータは、査定システムのデータベースに保存される。
【００２５】
図４は、作品所有者の入力と古書画査定システムの処理・出力作業の概念図である。過去に古書画査定システムに登録された作品の所有者は、鑑定書に記載された作品の登録番号（ＩＤ）を入力すると、古書画査定システムは格納された最新の作家別人気度Ａと最新の時価基準値Ｂを修正し再乗算するため、最新の評価額と査定根拠および鑑定書の内容を確認することができる。
【００２６】
図５は、基準値算定委員会の見直し作業と古書画査定システムへの入力の概念図である。上述の古書画査定システムに格納された作家情報と作家別人気度Ａと時価基準値Ｂは、学識者で構成する基準値算定委員会が定期的に見直し、最新情報に修正登録することができる。
【００２７】
発明の古書画査定システムは真贋鑑定と価格査定を同時に実施し、客観的に評価額を算定できるシステムである。そのため、マニュアルに基づいて条件を選択、または数値を入力すると、異なる鑑定者が実施しても、ほぼ同様の鑑定結果が得られる。
【００２８】
古書画査定システムに登録した作品には、登録番号・写真・作者情報・評価額・査定根拠等が記載された鑑定書が発行され、所有者が作品と共に保存する。
【００２９】
古書画査定システムに入力された作品の鑑定・評価の諸数値等は保存され、鑑定評価の基準値が見直しされると自動計算されるため、作品所有者の端末からインターネット経由で古書画査定システムに接続し、作品の登録番号（ＩＤ）を入力すると最新評価額と査定根拠および鑑定書の内容を確認することができる。
【実施例１】
【００３０】
実態の事例として、豊後南画の査定方法を解説する。江戸時代後期に豊後国（大分県）の「竹田  ちくでん」は独自の様式と境地で豊後南画と呼ばれる優れた伝統を生みだし、日本南画界の最高峰を極め、多くの弟子にその技と精神を伝えた。その結果、明治時代に豊後南画は興隆期に達し、一大豊後南画王国が築かれ、門下の作家は２０００人を超えると言われている。
【００３１】
＜真贋度の算定＞判定要素と百分率の配分は、印影鑑定を４０％、サインの筆跡鑑定を２０％、描画技法鑑定を３０％、時代に合った画材鑑定を１０％とし、合計で１００％になる。「直入」の落款のある青緑山水図の真贋度の算定を例にとると印影３０％＋筆跡１５％＋描画技法２０％＋画材５％＝７０％が真贋度となる。（図５）
【００３２】
＜作家別人気度の算定＞豊後南画の創設者で評価も頂点にある作家の「竹田」の人気度を１００％として弟子等の画家を数値で格付け評価する。これは最も大切な作業であるため、学識者で構成する基準値算定委員会が定期的に見直しする。  
「竹田」（１００％）、「直入」（３２％）、「杏雨」（２５％）、「五岳」（１６％）、「竹邨」（１３％）、「古桑」（５％）等々である。「竹田」門下生の作品の写真や作家情報を古書画査定システムに集約することにより、知られてなかった画家の全容が次第に見えてくるため、人気度が見直しされ価値が再評価される。
【００３３】
＜傑作度の算定＞同じ画家でも、作品毎の傑作度合いはまちまちである。「竹田」が旅先で簡単に描いた作品より「竹邨」がアトリエで精魂かけて仕上げた傑作品が高い評価を受けても当然である。そこで傑作度を１〜１００％の段階に分け数値で算定する。
【００３４】
＜作品の大きさ＞作品の大きさで価格が違ってくる。勿論、単純に面積で判断するべきでない。幸いに掛軸仕立てには、伝統的で美しい黄金分割比による寸法割出法があり、画家も意識して縦寸法を決めている。また和紙は全紙・半切等、絵絹は１尺５寸・１尺８寸等の標準サイズがあるため、作品の横寸法も段階的になっている。そこで作品の大きさを段階に分け百分率の数値で表現する。
【００３５】
＜作品の保存状況度の算定＞作品によっては、染み、虫害、破れが酷いものがある。和紙、絵絹等の材質によっても、修復の可否が異なる。後世に伝えるためには修復が必要になってくる。そこで作品の保存度を１〜１００％の段階に分け数値で表現する。
【００３６】
＜時価基準値の算定＞豊後南画の時価基準値は「竹田」の傑作品の時価を学識者で構成する基準値算定委員会が定期的に見直しする。頂点に君臨し人気度ＮＯ１である「竹田」の作品を時価基準値の算定に使用するのは、作家別人気度で「竹田」を１００％とし、他の作家を百分率で査定しているためである。例えば、文政１２年作の「竹田」作の松泉山水図の評価額が３５０万円で、古書画査定システムで査定した乗積査定率が４６％の場合、時価基準値は３５０万÷４６％＝７６１万円となる。
【００３７】
＜査定価格の算定の事例＞図６の「直入」の落款のある青緑山水図の査定を事例にする。真贋度７０％×人気度３２％×傑作度７０％×大きさ６０％×保存状況５５％＝乗積査定率５．２％となった場合を試算する。豊後南画の時価基準値は上記の７６１万円を使用した場合、事例の「直入」作品の査定価格は７６１万円×５．２％＝３９６，０００円となる。
【産業上の利用可能性】
【００３８】
本発明の古書画査定システムの真贋度の鑑定要素と評価額算定の査定要素を変更することで、あらゆるジャンルの美術品や骨董品の査定システムとして利用することができる。
【図面の簡単な説明】
【００３９】
【図１】請求項１〜３の古書画査定システム活用のイメージ図である。
【図２】古書画査定システムのサーバの構成を示すブロック図である。
【図３】鑑定者の入力と古書画査定システムの処理・出力作業の概念図である。
【図４】作品所有者の入力と古書画査定システムの処理・出力作業の概念図である。
【図５】基準値算定委員会の見直し作業と古書画査定システム入力の概念図である。
【図６】鑑定書の事例である。
【符号の説明】
【００４０】
１０    サーバ  
１１    制御手段
１２    入力制御手段
１３    出力制御手段    
１４    記憶手段（メインプログラム）
１５    記憶手段（作家情報ファイル）
１６    記憶手段（作家別人気度Ａファイル）
１７    記憶手段（時価基準値Ｂファイル）
１８    記憶手段（登録作品情報ファイル）
１０１  端末（鑑定者）
１０２  端末（作品所有者）
１０３  端末（基準値算定委員会）
【図１】
0004422181.tif 000002
【図２】
0004422181.tif 000003
【図３】
0004422181.tif 000004
【図４】
0004422181.tif 000005
【図５】
0004422181.tif 000006
【図６】
0004422181.tif 000007